(57)【特許請求の範囲】
【請求項１】
高所の天井に取り付けられる照明装置であって、
複数のＬＥＤ素子と、
前記複数のＬＥＤ素子のそれぞれに対応して設けられ、前記ＬＥＤ素子から発光される光の入射側開口及び平面視にて前記入射側開口よりも拡がった出射側開口を有し、内面が反射面に形成された筒状反射体と、を備え、
前記出射側開口を形成する開口縁は、第１方向の幅が、前記第１方向に直交する第２方向の幅よりも大きく、
少なくとも２つの前記筒状反射体が、平面視で第１直線に沿って一列に配置された第１群と、
少なくとも２つの前記筒状反射体が、平面視で前記第１直線と平行な第２直線に沿って一列に配置された第２群と、を含み、
列方向に直交する方向に沿って見た場合に、前記第１群を構成する筒状反射体と前記第２群を構成する筒状反射体は、少なくとも一部が重なり合う位置に配置されており、
前記第１群を構成する前記筒状反射体は、列方向のいずれか一方を向いており、前記第２群を構成する前記筒状反射体は、列方向のいずれか他方を向いている、ＬＥＤ照明装置。
【請求項２】
高所の天井に取り付けられる照明装置であって、
複数のＬＥＤ素子と、
前記複数のＬＥＤ素子のそれぞれに対応して設けられ、前記ＬＥＤ素子から発光される光の入射側開口及び平面視にて前記入射側開口よりも拡がった出射側開口を有し、内面が反射面に形成された筒状反射体と、を備え、
前記出射側開口を形成する開口縁は、第１方向の幅が、前記第１方向に直交する第２方向の幅よりも大きく、
少なくとも２つの前記筒状反射体が、平面視で第１直線に沿って一列に配置された第１群と、
少なくとも２つの前記筒状反射体が、平面視で前記第１直線と平行な第２直線に沿って一列に配置された第２群と、を含み、
列方向に直交する方向に沿って見た場合に、前記第１群を構成する筒状反射体と前記第２群を構成する筒状反射体は、一部が重なり合う位置に配置されており、
前記第１群及び第２群を構成する前記筒状反射体は、いずれも列方向のいずれか一方を向いている、ＬＥＤ照明装置。
【発明の詳細な説明】
【技術分野】
【０００１】
本開示は、主に建屋の高所に取り付けられるＬＥＤ照明装置に関する。
【背景技術】
【０００２】
近年、環境意識の高まりから、省電力化に優れたＬＥＤ（Light Emitting Diode；発光ダイオード）素子を光源に使用したＬＥＤ照明装置が普及している。ＬＥＤ照明装置の一種として、多目的ホールや大型倉庫などの高天井に取り付けられ、下方の床面などの被照射面を照射する高天井用照明器具が知られている。
【０００３】
例えば特許文献１には、ＬＥＤ素子と、ＬＥＤ素子から発光された光の入射側開口及び光の出射側開口を有する筒状をなし、筒内壁が反射面に形成されている筒状反射体と、を有する照明装置が開示されている。
【０００４】
特許文献２には、一方向に沿って長い領域を照らすために、ＬＥＤ素子と、集光レンズと、異方性拡散シートとを有する照明装置が開示されている。
【先行技術文献】
【特許文献】
【０００５】
【特許文献１】特開２０１３−００４１６８号公報
【特許文献２】特開２０１４−２２９４７６号公報
【発明の概要】
【発明が解決しようとする課題】
【０００６】
廊下や通路を照明するためには、器具の直下を中心とした真円状の領域ではなく、器具の直下を中心とした廊下の長手方向に沿って細長い領域に照明が必要となる。
【０００７】
さらに、高天井用照明器具は、例えば、床から４．５ｍ〜６．０ｍのような高所に取り付けられるので、床面に適度な照度を確保するためには、ＬＥＤ素子から発光された光を遠方に到達させる必要がある。
【０００８】
一方向に沿って長い領域を照らすためには、特許文献２に記載のように、集光レンズ及び拡散シートを用いることが考えられる。しかし、コストが増大するうえ、光が拡がりすぎて床面の照度が十分に確保できないおそれが考えられる。
【０００９】
一方、床面に十分な照度を確保するためには、特許文献１に記載のように、筒状反射体を用いることが考えられる。しかし、特許文献１には、筒状反射体だけで、一方向に沿って長い領域に光を配光するための技術については明示されていない。
【００１０】
本開示は、このような課題に着目してなされたものであって、その目的は、簡素な構成でコストを低減でき、発光を遠方に到達させ且つ一方向に沿って長い領域に配光可能なＬＥＤ照明装置を提供することである。
【課題を解決するための手段】
【００１１】
本開示は、上記目的を達成するために、次のような手段を講じている。
【００１２】
すなわち、本開示のＬＥＤ照明装置は、
高所の天井に取り付けられる照明装置であって、
複数のＬＥＤ素子と、
前記複数のＬＥＤ素子のそれぞれに対応して設けられ、前記ＬＥＤ素子から発光される光の入射側開口及び平面視にて前記入射側開口よりも拡がった出射側開口を有し、内面が反射面に形成された筒状反射体と、を備え、
前記出射側開口を形成する開口縁は、第１方向の幅が、前記第１方向に直交する第２方向の幅よりも大きい。
【００１３】
このように、筒状反射体の出射側開口を形成する開口縁は、第２方向の幅よりも第１方向の幅が大きく形成されているので、出射側開口を出た光は、第２方向よりも第１方向に拡がり一方向に長い領域に配光される。それでいて、筒状反射体であれば、拡散シートに比べて光が拡がりすぎず、発光を遠方に到達させることができる。さらに、筒状反射体だけで一方向に長く拡がる配光が実現できるので、集光レンズなどの他の部材を用いずにコストを抑制することが可能となる。
【図面の簡単な説明】
【００１４】
【図１】第１実施形態のＬＥＤ照明装置を示す斜視図。
【図２】ＬＥＤ照明装置の構成を示す分解斜視図。
【図３】ＬＥＤ照明装置を示す底面図。
【図４Ａ】図３のＡ−Ａ部位断面図。
【図４Ｂ】図３のＢ−Ｂ部位断面図。
【図４Ｃ】図３のＡ−Ａ部位断面斜視図。
【図５】第２実施形態のＬＥＤ照明装置を示す底面図。
【図６Ａ】図５のＣ−Ｃ部位断面図。
【図６Ｂ】図５のＤ−Ｄ部位断面図。
【図７】第３実施形態のＬＥＤ照明装置を示す斜視図。
【図８】ＬＥＤ照明装置を示す底面図。
【図９】図８のＥ−Ｅ部位及びＦ−Ｆ部位を示す断面図。
【発明を実施するための形態】
【００１５】
＜第１実施形態＞
以下、本開示の第１実施形態のＬＥＤ照明装置について、図１、図２、図３、図４Ａ、及び図４Ｂを用いて説明する。なお、照明装置が天井に取り付けられた場合に天井側を上方ＵＤとし、床側を照明装置の下方ＬＤとして説明する場合がある。
【００１６】
図２に示すように、複数のＬＥＤ素子１０を有する光源ユニット１Ａ，１Ｂと、ＬＥＤ素子１０に電力を供給する電源部２と、光源ユニット１Ａ，１Ｂが取り付けられるフレーム本体３０と、天井等の被取付面にフレーム本体３０を取り付けるため取付部材３１と、ＬＥＤ素子１０を覆う透光性カバー４と、光源ユニット１Ａ，１Ｂ及び電源部２をフレーム本体３０と共に覆うカバーフレーム３２と、を有する。カバーフレーム３２は、透光性カバー４を露出する矩形状の開口３２ｈを有する。ＬＥＤ素子１０が発光した光は、透光性カバー４及びカバーフレーム３２の開口３２ｈを通過して被照射面に至る。ＬＥＤ素子１０から被照射面に至る光の経路には、筒状反射体１２及び透光性カバー４のみが存在する。なお、図示の都合上、図２以外の図には透光性カバー４を図示していない。
【００１７】
本実施形態では、図３に示すように、下方ＬＤから上方ＵＤを見た平面視において、２つの光源ユニット１Ａ，１Ｂが間隔を開けて配置されている。２つの光源ユニット１Ａ，１Ｂの間に電源部２が配置されている。このように、上下方向に沿って見た場合に、光源ユニット１Ａ，１Ｂと電源部２が重ならないので、光源ユニットの放熱効果を向上させている。図２に示すように、２つの光源ユニット１Ａ，１Ｂ及び電源部２は、フレーム本体３０に固定されている。フレーム本体３０は、一対の起立片３０ａが端に形成されている。取付部材３１は、側面視でＵ字状をなし、一対の起立片３０ａにネジ止めされる。ＬＥＤ照明装置は、下方を向く姿勢で取り付けられるのであれば、真下を向いていても斜め下を向いていてもよい。
【００１８】
図２に示すように、光源ユニット１Ａ，１Ｂは、複数のＬＥＤ（Light Emitting Diode；発光ダイオード）素子１０と、複数のＬＥＤ素子１０が取り付けられる放熱部材１１と、複数のＬＥＤ素子１０のそれぞれに対応して設けられる筒状反射体１２と、を有する。放熱部材１１は、アルミなどの伝熱性を有する金属部材で形成され、ＬＥＤ素子が取り付けられる平板状の素子取付面１１ａと、素子取付面１１ａの裏側へ起立する放熱フィン１１ｂとを有する。素子取付面１１ａと放熱フィン１１ｂとは同部材に一体に形成されている。本実施形態では、ＬＥＤ素子１０が４つ設けられる。ＬＥＤ素子１０は、１つあたりの消費電力が０．８Ｗ以上且つ２Ｗ以下であるハイパワーＬＥＤである。勿論、ＬＥＤ素子１０の数や素子１つの消費電力は適宜変更可能である。例えば、素子１つの消費電力として１Ｗにすることが好ましい。
【００１９】
図２に示すように、ＬＥＤ素子１０は、素子１０で生ずる熱を素子取付面１１ａに伝熱可能に面接触した状態で取り付けられている。本実施形態では、ＬＥＤ素子１０はネジなどの締着具で素子取付面１１ａに固定されているが、固定方法はこれに限定されない。複数のＬＥＤ素子１０は、筒状反射体１２に対応して１列に等間隔で配置されている。図２及び図３に示すように、複数のＬＥＤ素子１０は、各々の発光面の中心が素子取付面１１ａの幅方向の中心線上（例えば図３のＡ−Ａ補助線）にあるように取り付けられている。勿論、ＬＥＤ素子１０の配置はこれに限定されず、種々変更可能である。
【００２０】
筒状反射体１２は、内面が反射面に形成されており、ＬＥＤ素子１０から発光される光の入射側開口１３及び平面視にて入射側開口１３よりも拡がった出射側開口１４を有する。図４Ａ及び図４Ｃに示すように、反射面は、回転放物面に形成されており、回転軸ａｘ及び焦点ｆｐが設定される。出射側開口１４を形成する開口縁１４ｓは同一平面ｓｆ上に形成されている。なお、本実施形態では、ＬＥＤ素子１０の発光面の中心と回転放物面の焦点ｆｐが一致しているが、これに限定されない。例えば、ＬＥＤ素子１０の発光面の中心と回転放物面の焦点ｆｐが一致していなくてもよい。
【００２１】
図３に示すように、出射側開口１４を形成する開口縁１４ｓは、第１方向Ｄ１の幅Ｗ１が、第１方向Ｄ１に直交する第２方向Ｄ２の幅Ｗ２よりも大きい。それは、図４Ａ及び図４Ｃに示すように、開口縁１４ｓを通る平面ｓｆの垂線ｐｌに対して、回転放物面の回転軸ａｘが傾斜しているからである。本実施形態では、開口縁１４ｓの形状は楕円形状である。なお、反射面は回転放物面であるが、これに限定されず、テーパ状の平坦面でもよい。
【００２２】
図３に示すように、第１光源ユニット１Ａを構成する第１〜４の筒状反射体（１２Ａ〜Ｄ）は、平面視で第１直線Ｌ１に沿って一列に配列されている。各々の筒状反射体（１２Ａ〜１２Ｄ）の第１方向Ｄ１が列方向ＣＤに一致している。図３、図４Ａ及び図４Ｃに示すように、第１〜４の筒状反射体（１２Ａ〜１２Ｄ）の回転軸ａｘは、出射側開口１４が平面視で列方向ＣＤの一方ＣＤ１を向くように、素子取付面１１ａに対して（つまり、平面ｓｆの垂線ｐｌに対して）傾斜している。第１〜４の筒状反射体（１２Ａ〜１２Ｄ）の傾斜角度（θＡ、θＢ、θＣ、θＤ）は、それぞれ５度、１０度、２０度、２０度である。すなわち、第１〜３の筒状反射体（１２Ａ〜１２Ｃ）のうち少なくとも２つの筒状反射体は、入射側開口１３の中心と出射側開口１４の中心とを結ぶ中心軸（回転軸ａｘ）が非平行に設定されている。同様に、少なくとも２つの筒状反射体は、平面視で列方向のうち反傾斜側ＣＤ２から傾斜側ＣＤ１に向かって中心軸の傾斜角度が大きくなるように配置されている。
【００２３】
列方向ＣＤのうち最も傾斜側ＣＤ１にある筒状反射体１２Ｄと、当該筒状反射体１２Ｄの隣にある筒状反射体１２Ｃとは、中心軸の傾斜角度が同一に設定されている。最も傾斜角度が大きい筒状反射体は、列方向に隣り合って複数設けられている。この構成によれば、最も遠方を照らす傾斜角度を有する筒状反射体を複数（例えば１２Ｃ、１２Ｄ）設けることで、補強効果により最も遠方の照度を適切に確保可能となる。勿論、最大傾斜角度だけでなく、所定の傾斜角度を有する筒状反射体を複数設けてもよい。そうすれば、特定のポイントを明るく照らすことも可能となる。
【００２４】
図４Ａ及び図４Ｃに示すように、第１〜４の筒状反射体（１２Ａ〜１２Ｄ）は、出射側開口１４を形成する開口縁１４ｓ同士が連結板１５で接続され、連結板１５と共に一体に形成されている。第１〜４の筒状反射体（１２Ａ〜１２Ｄ）は、樹脂製であることが好ましい。なお、本実施形態では、一列に並ぶ複数の筒状反射体１２が一体で形成されているが、各々の個別に形成して、素子取付面１１ａに実装してもよい。
【００２５】
図３に示すように、第２光源ユニット１Ｂを構成する第５〜８の筒状反射体（１２Ｅ〜１２Ｈ）は、平面視で第２直線Ｌ２に沿って一列に配列されている。各々の筒状反射体（１２Ｅ〜１２Ｈ）の第１方向Ｄ１が列方向ＣＤに一致している。第１直線Ｌ１と第２直線Ｌ２は平行である。図３及び図４Ｂに示すように、第５〜８の筒状反射体（１２Ｅ〜１２Ｈ）の回転軸ａｘは、出射側開口１４が平面視で列方向ＣＤの他方ＣＤ２を向くように、素子取付面１１ａに対して（つまり、平面ｓｆの垂線ｐｌに対して）傾斜している。第５〜８の筒状反射体（１２Ｅ〜１２Ｈ）の傾斜角度（θＥ、θＦ、θＧ、θＨ）は、それぞれ５度、１０度、２０度、２０度である。すなわち、第５〜７の筒状反射体（１２Ｅ〜１２Ｇ）のうち少なくとも２つの筒状反射体は、入射側開口１３の中心と出射側開口１４の中心とを結ぶ中心軸が非平行に設定されている。同様に、少なくとも２つの筒状反射体は、平面視で列方向ＣＤのうち反傾斜側ＣＤ１から傾斜側ＣＤ２に向かって中心軸の傾斜角度が大きくなるように配置されている。
【００２６】
図４Ｂに示すように、第５〜８の筒状反射体（１２Ｅ〜１２Ｈ）は、出射側開口１４を形成する開口縁１４ｓ同士が連結板１５で接続され、連結板１５と共に一体に形成されている。第５〜８の筒状反射体は、樹脂製であることが好ましい。
【００２７】
図３に示すように、第１光源ユニット１Ａは、少なくとも２つの筒状反射体（１２Ａ〜１２Ｄ）が、平面視で第１直線Ｌ１に沿って一列に配置された第１群Ｇ１を有する。第２光源ユニット１Ｂは、少なくとも２つの筒状反射体（１２Ｅ〜１２Ｈ）が、平面視で第１直線Ｌ１と平行な第２直線Ｌ２に沿って一列に配置された第２群Ｇ２を有する。列方向ＣＤに直交する方向に沿って見た場合に、第１群Ｇ１を構成する筒状反射体（１２Ａ〜１２Ｄ）と第２群Ｇ２を構成する筒状反射体（１２Ｅ〜１２Ｈ）は、少なくとも一部が重なり合う位置に配置されている。第１群Ｇ１を構成する筒状反射体（１２Ａ〜１２Ｄ）は、列方向ＣＤのいずれか一方ＣＤ１を向いている。第２群Ｇ２を構成する筒状反射体（１２Ｅ〜１２Ｈ）は、列方向のいずれか他方ＣＤ２を向いている。
【００２８】
このように、列方向ＣＤに直交する方向から見て、第１群Ｇ１及び第２群Ｇ２が重なりあうので、列方向ＣＤの寸法を抑えることができる。また、第１群Ｇ１が列方向ＣＤの一方ＣＤ１を照らし、第２群Ｇ２が列方向ＣＤの他方ＣＤ２を照らすので、列方向ＣＤの両側の照度を十分に確保することが可能となる。
【００２９】
本実施形態では、開口縁１４ｓの形状は、楕円形状であるが、これに限定されない。例えば、長方形、ひし形などでもよい。
【００３０】
＜第２実施形態＞
第２実施形態のＬＥＤ照明装置について、図５〜６を用いて説明する。第２実施形態のＬＥＤ照明装置は、第２光源ユニット１Ｂの筒状反射体１２の構造が第１実施形態と異なる。
【００３１】
図５、図６Ａ、及び図６Ｂに示すように、第１光源ユニット１Ａは、少なくとも２つの筒状反射体（１２Ａ〜１２Ｄ）が、平面視で第１直線Ｌ１に沿って一列に配置された第１群Ｇ１を有する。第２光源ユニット１Ｂは、少なくとも２つの筒状反射体（１２Ｅ〜１２Ｈ）が、平面視で第１直線Ｌ１と平行な第２直線Ｌ２に沿って一列に配置された第２群Ｇ２を有する。列方向ＣＤに直交する方向に沿って見た場合に、第１群Ｇ１を構成する筒状反射体（１２Ａ〜１２Ｄ）と第２群Ｇ２を構成する筒状反射体（１２Ｅ〜１２Ｈ）は、少なくとも一部が重なり合う位置に配置されている。第１群Ｇ１を構成する筒状反射体（１２Ａ〜１２Ｄ）および第２群Ｇ２を構成する筒状反射体（１２Ｅ〜１２Ｈ）は、いずれも列方向ＣＤのいずれか一方ＣＤ１を向いている。
【００３２】
図６Ａ及び図６Ｂに示すように、第１光源ユニット１Ａ及び第２光源ユニット１Ｂを構成する各々の筒状反射体１２の傾斜角度は、第１実施形態の第１光源ユニット１Ａと同じである。
【００３３】
このように、列方向ＣＤに直交する方向から見て、第１群Ｇ１及び第２群Ｇ２が重なりあうので、列方向ＣＤの寸法を抑えることができる。また、第１群Ｇ１及び第２群Ｇ２が共に列方向ＣＤの一方ＣＤ１を照らすので、廊下の端に置くのに適している。
【００３４】
＜第３実施形態＞
第３実施形態のＬＥＤ照明装置について、図７〜９を用いて説明する。第３実施形態のＬＥＤ照明装置は、図７〜９に示すように、第２実施形態の第１光源ユニット１Ａ及び第２光源ユニット１Ｂを１セットとし、２セットを列方向に沿って配置し、第１セットＫ１の光源ユニット１Ａ，１Ｂが列方向ＣＤのいずれか一方ＣＤ１を向き、第２セットＫ２の光源ユニット１Ａ，１Ｂが列方向ＣＤのいずれか他方ＣＤ２を向くように、第２実施形態の装置を２つ連結したものである。
【００３５】
以上のように、第１〜第３実施形態のＬＥＤ照明装置は、
高所の天井に取り付けられる照明装置であって、
複数のＬＥＤ素子１０と、
複数のＬＥＤ素子１０のそれぞれに対応して設けられ、ＬＥＤ素子１０から発光される光の入射側開口１３及び平面視にて入射側開口１３よりも拡がった出射側開口１４を有し、内面が反射面に形成された筒状反射体１２と、を備える。
出射側開口１４を形成する開口縁１４ｓは、第１方向Ｄ１の幅Ｗ１が、第１方向Ｄ１に直交する第２方向Ｄ２の幅Ｗ２よりも大きい。
【００３６】
このように、筒状反射体１２の出射側開口１４を形成する開口縁１４ｓは、第２方向Ｄ２の幅Ｗ２よりも第１方向Ｄ１の幅Ｗ１が大きく形成されているので、出射側開口１４を出た光は、第２方向Ｄ２よりも第１方向Ｄ１に拡がり一方向に長い領域に配光される。それでいて、筒状反射体１２であれば、拡散シートに比べて光が拡がりすぎず、発光を遠方に到達させることができる。さらに、筒状反射体１２だけで一方向に長く拡がる配光が実現できるので、集光レンズなどの他の部材を用いずにコストを抑制することが可能となる。
【００３７】
第１〜第３実施形態において、少なくとも２つの筒状反射体（例えば１２Ａ，１２Ｂ，１２Ｃ）は、平面視で一列に並んでおり、各々の第１方向Ｄ１が列方向ＣＤに一致しており、入射側開口１３の中心と出射側開口１４の中心とを結ぶ中心軸が非平行に設定されている。
【００３８】
この構成によれば、筒状反射体１２が平面視で一列に並び且つ各々の第１方向Ｄ１が列方向ＣＤに一致しているので、ある一つの筒状反射体（例えば１２Ａ）が照射する領域と、他の一つの筒状反射体（例えば１２Ｂ）が照射する領域に重なりが生じるので、十分に照度を確保可能となる。
【００３９】
筒状反射体１２の中心軸が鉛直方向に沿う場合には、真下を照射することになり、細長い領域に配光されにくい。一方、筒状反射体１２の中心軸が鉛直方向に交差する場合には、斜め下を照射することになり、一方向に沿って長い領域に配光されやすい。第１方向Ｄ１が一致している２つの筒状反射体（例えば１２Ａ，１２Ｂ）の中心軸が非平行であれば、一方の筒状反射体が真下を向いたとしても、他方の筒状反射体は、第１方向Ｄ１に沿って斜め下を向くことになる。したがって、第１方向Ｄ１に沿って細長い領域に照度を確保しやすくなる。
【００４０】
第１〜第３実施形態において、少なくとも２つの筒状反射体（例えば１２Ａ，１２Ｂ，１２Ｃ）は、出射側開口１４が平面視で列方向ＣＤのいずれか一方ＣＤ１を向くように傾斜している。
【００４１】
この構成によれば、列方向ＣＤを廊下の長手方向にあわせれば、廊下に沿って複数の筒状反射体１２が配置され、且つ、各々の筒状反射体１２が廊下の長手方向の一方を向くことになるので、廊下に適した照明が可能となる。
【００４２】
第１〜第３実施形態において、少なくとも２つの筒状反射体（例えば１２Ａ，１２Ｂ，１２Ｃ）は、平面視で列方向ＣＤのうち反傾斜側ＣＤ２から傾斜側ＣＤ１に向かって中心軸の傾斜角度が大きくなるように配置されている。
【００４３】
この構成によれば、平面視で列方向ＣＤのうち傾斜側ＣＤ１にある筒状反射体の中心軸の傾斜角度が大きいので、傾斜側ＣＤ１の遠方と反傾斜側ＣＤ２の近場との両方を照らすことができる。
【００４４】
第１〜第３実施形態において、少なくとも２つの筒状反射体（例えば１２Ａ，１２Ｂ，１２Ｃ，１２Ｄ）は、開口縁１４ｓが面一に形成されており、出射側開口１４を形成する開口縁１４ｓ同士が連結板１５で接続されている。
【００４５】
この構成によれば、筒状反射体１２の出射側開口１４を形成する開口縁１４ｓが面一なので、隣り合う筒状反射体１２の高さ違いによる遮光がなく、複数の筒状反射体１２を適切に配置可能になる。また、複数の筒状反射体１２の高さを均一化させることも可能であり、組み付けが容易となる。さらに、出射側開口１４を形成する開口縁１４ｓ同士が連結板１５で接続されているので、成形と組み立てが容易となる。
【００４６】
第１実施形態において、少なくとも２つの筒状反射体（１２Ａ〜１２Ｄ）が、平面視で第１直線Ｌ１に沿って一列に配置された第１群Ｇ１と、少なくとも２つの筒状反射体（１２Ｅ〜１２Ｈ）が、平面視で第１直線Ｌ１と平行な第２直線Ｌ２に沿って一列に配置された第２群Ｇ２と、を含む。列方向ＣＤに直交する方向に沿って見た場合に、第１群Ｇ１を構成する筒状反射体（１２Ａ〜１２Ｄ）と第２群Ｇ２を構成する筒状反射体（１２Ｅ〜１２Ｈ）は、少なくとも一部が重なり合う位置に配置されている。第１群Ｇ１を構成する筒状反射体（１２Ａ〜１２Ｄ）は、列方向ＣＤのいずれか一方ＣＤ１を向いており、第２群を構成する筒状反射体（１２Ｅ〜１２Ｈ）は、列方向ＣＤのいずれか他方ＣＤ２を向いている。
【００４７】
この構成によれば、列方向ＣＤに直交する方向から見て、第１群Ｇ１及び第２群Ｇ２が重なりあうので、列方向ＣＤの寸法を抑えることができる。また、第１群Ｇ１が列方向ＣＤの一方ＣＤ１を照らし、第２群Ｇ２が列方向ＣＤの他方ＣＤ２を照らすので、列方向ＣＤの両側の照度を十分に確保することが可能となる。
【００４８】
第２実施形態において、少なくとも２つの筒状反射体（１２Ａ〜１２Ｄ）が、平面視で第１直線Ｌ１に沿って一列に配置された第１群Ｇ１と、少なくとも２つの筒状反射体（１２Ｅ〜１２Ｈ）が、平面視で第１直線Ｌ１と平行な第２直線Ｌ２に沿って一列に配置された第２群Ｇ２と、を含む。列方向ＣＤに直交する方向に沿って見た場合に、第１群Ｇ１を構成する筒状反射体（１２Ａ〜１２Ｄ）と第２群Ｇ２を構成する筒状反射体（１２Ｅ〜１２Ｈ）は、一部が重なり合う位置に配置されている。第１群Ｇ１及び第２群Ｇ２を構成する筒状反射体（１２Ａ〜１２Ｈ）は、いずれも列方向ＣＤのいずれか一方ＣＤ１を向いている。
【００４９】
この構成によれば、列方向ＣＤに直交する方向から見て、第１群Ｇ１及び第２群Ｇ２が重なりあうので、列方向ＣＤの寸法を抑えることができる。また、第１群Ｇ１及び第２群Ｇ２が共に列方向ＣＤの一方ＣＤ１を照らすので、廊下の端に置くのに適している。
【００５０】
本開示は上述した実施形態に何ら限定されるものではない。上記の各実施形態で採用している構造を他の任意の実施形態に採用することは可能である。各部の具体的な構成は、上述した実施形態のみに限定されるものではなく、本開示の趣旨を逸脱しない範囲内で種々の改良変更が可能である。
【００５１】
例えば、上記実施形態では、ＬＥＤ素子１０の発光面の中心は、筒状反射体１２の焦点ｆｐに一致しているが、一致していなくてもよい。
【００５２】
また、上記実施形態では、筒状反射体１つあたり１つのＬＥＤ素子１０が対応して設けられているが、筒状反射体１つあたり複数のＬＥＤ素子１０が対応して設けられていてもよい。
【００５３】
上記実施形態では、各々の筒状反射体１２の長手方向（第１方向Ｄ１）が全て一致しているが、一致させてなくてもよい。
【符号の説明】
【００５４】
１０…ＬＥＤ素子
１２…筒状反射体
１３…入射側開口
１４…出射側開口
１４ｓ…開口縁
１５…連結板
Ｄ１…第１方向
Ｄ２…第２方向
ＣＤ…列方向
Ｇ１…第１群
Ｇ２…第２群
【図１】
0006653530.tif 000002
【図２】
0006653530.tif 000003
【図３】
0006653530.tif 000004
【図４Ａ】
0006653530.tif 000005
【図４Ｂ】
0006653530.tif 000006
【図４Ｃ】
0006653530.tif 000007
【図５】
0006653530.tif 000008
【図６Ａ】
0006653530.tif 000009
【図６Ｂ】
0006653530.tif 000010
【図７】
0006653530.tif 000011
【図８】
0006653530.tif 000012
【図９】
0006653530.tif 000013